(57)【特許請求の範囲】
【請求項１】
一対の脚部と、前記一対の脚部の間に配設された複数の踏み板と、前記一対の脚部の間の最上部に配設された天板とを備える第１および第２の脚体を有し、前記第１の脚体と前記第２の脚体との上端部を開閉自在に連結した脚立部と、
前記第１および第２の脚体のそれぞれの前記一対の脚部に設けられ、前記天板と同一面上に配される開き位置と、前記脚部の間に収納される収納位置との間でそれぞれ個別に移動自在な第１および第２の作業板と、
を備え、
前記第１および第２の作業板は、前記一対の脚部の間に一端が回動自在に設けられて、前記開き位置と前記収納位置との間で回動し、前記収納位置において前記一対の脚部の間に且つ前記複数の踏み板のうちの最上段の踏み板と前記天板との間に収納される、
ことを特徴とする作業台。
【請求項２】
前記作業板は、前記収納位置から前記開き位置に移動した際に、前記天板との間の隙間が無くなるようにスライド可能なスライド機構を備える、
ことを特徴とする請求項１記載の作業台。
【請求項３】
前記脚部と前記作業板とに両端が連結され、前記開き位置に移動された前記作業板を支持する支持ステーを備える、
ことを特徴とする請求項１または２に記載の作業台。
【請求項４】
前記作業板には、電源タップが設けられている、
ことを特徴とする請求項１ないし３のいずれか１項に記載の作業台。
【発明の詳細な説明】
【技術分野】
【０００１】
本発明は、高所に設置された配電盤などを測定器で検査する際に利用可能な作業台に関するものである。
【背景技術】
【０００２】
公衆光通信システムやＬＡＮ（Ｌｏｃａｌ  Ａｒｅａ  Ｎｅｔｗｏｒｋ）等の光通信システムにおいて、光ファイバの劣化を監視するために定期的に行なわれる測定作業では、光パルス試験器（ＯＴＤＲ：Ｏｐｔｉｃａｌ  Ｔｉｍｅ  Ｄｏｍａｉｎ  Ｒｅｆｌｅｃｔｏｍｅｔｅｒ）が用いられている。ＯＴＤＲは、光ファイバの片端から光パルスを入射し、光ファイバ長手方向の各点で反射されて入射端に戻ってくる光パワーの距離分布を解析することによって、光ファイバの損失、接続点までの距離と接続損失および接続点で生じた反射量、ファイバが破断した場合の破断点までの距離を測定する測定器である。
【０００３】
光通信システムが導入されたビルでは、通信会社から敷設されたメインの光ファイバケーブルを光配電盤を介して構内に配線している。光配電盤は、数個〜数十個が配電盤ラックに対して引き出し可能に収納されている。光配電盤には、光ファイバの先端端子が接続可能なコネクタが数十本〜百本程度設けられている。光ファイバの測定作業では、光配電盤から光ファイバを１本ずつ引き抜いてＯＴＤＲの測定コネクタに接続して測定が行なわれる。したがって、１つの配電盤ラックに百本のコネクタが設けられた光配電盤が１０個収納されている場合には、上述した測定作業を千回繰り返さなければならないので、測定作業の効率化が望まれている。
【０００４】
配電盤ラックの光配電盤は、最上段の高さが２ｍ以上の高所になる場合があり、このような高所の光配電盤で光ファイバの測定を行なう場合には、脚立が利用される。高所作業用の一般的な脚立は、天板に乗って作業が行われる危険を防ぐため、天板のサイズが比較的小さくなっているので、脚立の天板上にＯＴＤＲを乗せることはできない。そのため、従来の測定作業では、ＯＴＤＲを床に設置し、測定員は脚立を登って引き出した光配電盤から光ファイバを引き抜き、引き抜いた光ファイバをＯＴＤＲの測定コードあるいはＯＴＤＲ本体の測定コネクタに接続し、ＯＴＤＲを操作して測定を行なう。したがって、従来の測定作業では、１本の光ファイバを測定するために、何度も脚立を昇り降りしなければならたないので、作業効率が悪化するだけでなく、測定員の身体的負担も大きくなるという問題があった。
【０００５】
脚立と同様に高所作業に使用することができ、天板に作業者が乗って作業を行うことができる作業台として、踏み台がある（例えば、特許文献１参照）。踏み台は、天板に乗った作業者が掴まることができる安全バーが設けられている。また、不使用時には脚立の外側に沿うように折り畳むことができ、使用時には天板と同一面上に広い面積の作業台を形成することができる作業台付き脚立も知られている（例えば、特許文献２参照）。これらの踏み台や作業台付き脚立であれば、天板上にＯＴＤＲを載置することができる。
【先行技術文献】
【特許文献】
【０００６】
【特許文献１】特開２０１１−０９２７０６号公報
【特許文献２】特開平０７−１０２７５７号公報
【発明の概要】
【発明が解決しようとする課題】
【０００７】
しかしながら、特許文献１に記載の踏み台は、天板の上方に配される安全バーが干渉してＯＴＤＲが載置できない場合があった。また、安全バーによって光配電盤の引き出し操作の邪魔になったり、安全バーを避けるようにして測定コードや光ファイバを引き回さなければならなくなり、作業効率が低下することもあった。
【０００８】
また、特許文献２に記載の作業台付き脚立は、十分に広い面積の天板が得られ、また天板上に障害物が存在しないのでＯＴＤＲを載置することができる。しかしながら、配電盤ラックが設置される構内スペースは狭い場合があるので、一般的な脚立であれば設置可能であっても、特許文献２の作業台付き脚立のように大型のものは設置できない場合がある。
【０００９】
本発明は、上記課題を解決するために、従来の一般的な脚立と同程度の設置スペースでありながら、天板上に測定器を載置することができる作業台を提供することを目的とする。
【課題を解決するための手段】
【００１０】
上記課題を解決するために、請求項１に記載の発明は、脚立部および作業板とを備えた作業台である。脚立部は、一対の脚部と、一対の脚部の間に配設された複数の踏み板と、一対の脚部の間の最上部に配設された天板とを備える第１および第２の脚体とを有し、第１の脚体と第２の脚体との上端部は、開閉自在に連結されている。第１および第２の作業板は、第１および第２の脚体のそれぞれの前記一対の脚部に設けられ、天板と同一面上に配される開き位置と、脚部の間に収納される収納位置との間でそれぞれ個別に移動自在とされ、さらに、前記一対の脚部の間に一端が回動自在に設けられて、前記開き位置と前記収納位置との間で回動し、前記収納位置において前記一対の脚部の間に且つ前記複数の踏み板のうちの最上段の踏み板と前記天板との間に収納されるようにしている。
【００１１】
請求項１に記載の発明によれば、第１および第２の脚体を開いて脚立部を起立させ、天板上に載置する測定器などのサイズに応じて、一対の脚部の間に収納された作業板を、天板と同一面上に配される開き位置に移動させる。
【００１３】
請求項２に記載の発明は、請求項１に記載の作業台において、作業板は、収納位置から開き位置に移動した際に、天板との間の隙間が無くなるようにスライド可能なスライド機構を備える。
【００１４】
請求項３に記載の発明は、請求項１または２に記載の作業台において、脚部と作業板とに両端が連結され、作業板が開き位置に移動された場合に作業板を支持する支持ステーを備える。
【００１５】
請求項４に記載の発明は、請求項１ないし３のいずれか１項に記載の作業台において、作業板には、電源タップが設けられている。
【発明の効果】
【００１６】
請求項１に記載の発明によれば、天板上に載置する測定器などのサイズに応じて、一対の脚部の間に収納された作業板を天板と同一面上に配される開き位置に移動させることができるので、サイズが比較的大きな測定器であっても天板および作業板上に載置することができる。したがって、従来の測定作業のように、何度も脚立を昇降しなくても多数の光ファイバの測定作業を行なうことができるので、高所での測定作業の効率が向上し、測定員の身体的な負担も低減する。また、脚立部は、従来の一般的な脚立と同程度のサイズにすることができるので、狭いスペースであっても高所の測定作業を行なうことができる。さらに、作業板は、不使用時には一対の脚部の間に収納することができるので、通常の脚立として利用することもできる。
【００１７】
請求項１に記載の発明によれば、さらに、作業板は、第１の脚体と第２の脚体のそれぞれに設けられているので、測定器の載置スペースをより広く設けることができる。また、脚体の一方にサイズの大きな作業板を設ける場合よりも、第１および第２の作業板の２つに分けて設けることにより、脚立部からの作業板の突出量を小さくすることができるので、作業台の取り扱いがしやすくなる。さらに、第１および第２の作業板は、それぞれ個別に開閉することができるので、使い勝手の高い作業台を得ることができる。
【００１８】
請求項２に記載の発明によれば、作業板は、スライド機構によって、天板との間の隙間が無くなるようにスライド可能であるため、天板と作業板との間に測定器の脚が落ち込んだり、測定器の構成部品が落下するのを防止することができる。また、測定器の脚や構成部品が落下するおそれのない測定器であれば、天板と作業板との間に隙間を設けた状態で使用することもできるので、隙間が生じないように作業板をスライドさせた場合よりも広い設置スペースを得ることができる。
【００１９】
請求項３に記載の発明によれば、作業板が開き位置に移動された場合に作業板を支持する支持ステーを備えるので、重量の重い測定器であっても安定して載置することができる。
【００２０】
請求項４に記載の発明によれば、作業板には電源タップが設けられているので、作業板に載置した測定器の電源を近い位置からとることができる。したがって、近くにコンセントがなく、延長コードが無い場合であっても、作業台上の測定器に電源を供給することができる。
【図面の簡単な説明】
【００２１】
【図１】本発明を実施した作業台の作業板を開いた状態と収納した状態とを示す斜視図である。
【図２】作業台の構成を示す側面図である。
【図３】作業台の構成を示す平面図である。
【図４】作業台に乗って測定作業を行なっている状態を示す説明図である。
【図５】本発明の第２の実施の形態の作業台を示す側面図である。
【発明を実施するための形態】
【００２２】
（実施の形態１）
以下、この発明を図示の実施の形態に基づいて説明する。
【００２３】
図１〜図３に示すように、作業台１は、第１の脚体２Ａおよび第２の脚体２Ｂを有する脚立部３と、第１の作業板４Ａおよび第２の作業板４Ｂとを備える。第１の脚体２Ａおよび第２の脚体２Ｂは、一対の脚部２１Ａ、２１Ｂと、一対の脚部２１Ａ、２１Ｂの間にそれぞれ配設された複数の踏み板２２Ａ、２２Ｂと、一対の脚部２１Ａ、２１Ｂの間の最上部にそれぞれ配設された天板２３Ａ、２３Ｂとを備える。第１の脚体２Ａと第２の脚体２Ｂは、上端部が開閉自在に連結されている。
【００２４】
第１の脚体２Ａと第２の脚体２Ｂとの間には、第１の脚体２Ａと第２の脚体２Ｂとによって脚立部３を起立可能な開き状態に支持するステー２４が設けられている。脚立部３は、軽量な金属、例えばアルミニウムなどで形成されている。
【００２５】
第１の作業板４Ａおよび第２の作業板４Ｂは、第１の脚体２Ａおよび第２の脚体２Ｂのそれぞれ一対の脚部２１Ａ、２１Ｂの間に一端が回動自在に設けられている。第１の作業板４Ａおよび第２の作業板４Ｂは、図１（Ａ）に示すように、一対の脚部２１Ａ、２１Ｂの間にそれぞれ収納される収納位置と、同図（Ｂ）に示すように、天板２３Ａ、２３Ｂと同一面上に配される開き位置との間で回動自在となっている。第１の作業板４Ａおよび第２の作業板４Ｂは、脚立部３と同様に、軽量な金属、例えばアルミニウムなどで形成されている。
【００２６】
図２に示すように、第１の作業板４Ａおよび第２の作業板４Ｂは、収納位置から開き位置に移動した際に、天板２３Ａ、２３Ｂとの間の隙間が無くなるようにスライド可能なスライド機構４１Ａ、４１Ｂを備える。スライド機構４１Ａ、４１Ｂは、一対の脚部２１Ａ、２１Ｂの内側にそれぞれ設けられた一対のピン４１１Ａ、４１１Ｂと、第１の作業板４Ａおよび第２の作業板４Ｂに設けられた一対の腕部４１２Ａ、４１２Ｂの長孔４１３Ａ、４１３Ｂとからなる。一対のピン４１１Ａ、４１１Ｂは、長孔４１３Ａ、４１３Ｂに挿入されている。したがって、第１の作業板４Ａおよび第２の作業板４Ｂは、ピン４１１Ａ、４１１Ｂは、長孔４１３Ａ、４１３Ｂに沿ってスライド自在となっている。
【００２７】
図３（Ａ）、（Ｂ）に示すように、第１の脚体２Ａおよび第２の脚体２Ｂと、第１の作業板４Ａおよび第２の作業板４Ｂとの間には、それぞれに両端が連結された支持ステー４１４Ａ、４１４Ｂが設けられている。支持ステー４１４Ａ、４１４Ｂは、中央部で折り畳み自在となっており、まっすぐに延ばした際にロックされるロック機構を備えている。支持ステー４１４Ａ、４１４Ｂは、第１の作業板４Ａおよび第２の作業板４Ｂに重量の重い測定器が乗せられた場合でも安定して支持可能な強度を備えている。
【００２８】
第２の作業板４Ｂの裏側には、第１の作業板４Ａおよび第２の作業板４Ｂに載置された測定器が接続可能な電源タップ５と、電源タップ５に接続されたコード５１を巻き付けて収納するための巻付けピン５２が設けられている。コード５１のプラグ５３を測定場所のコンセントに接続する場合には、コード５１を巻付けピン５２から解いて脚部２１Ｂの内側に沿わせ、脚部２１Ｂの内側に設けられた固定部材２１１に固定する。これにより、コード５１が邪魔にならないようにコンセントに接続することができる。
【００２９】
次に、上記作業台１を用いて光ファイバの測定を行なう場合について、図４を参照しながら説明する。符号６は、光ファイバの測定に使用するＯＴＤＲである。また、符号７は、複数の光配電盤７１が引き出し可能に収納された配電盤ラックであり、通信会社から光ファイバケーブルが敷設されたビルの通信構内に設置されている。光配電盤７１には、光ファイバの先端端子が接続可能なコネクタが数十本〜百本程度設けられている。光ファイバの測定作業では、光配電盤７１から光ファイバを１本ずつ引き抜いてＯＴＤＲの測定コネクタに接続して測定が行なわれる。
【００３０】
配電盤ラック７の光配電盤７１は、最上段の高さが２ｍ以上の高所になる場合がある。本実施形態の作業台１は、このような高所の光配電盤７１で光ファイバの測定を行なう場合に使用される。測定員Ｓは、配電盤ラック７の前で作業台１を起立させ、載置するＯＴＤＲ６のサイズに合わせて第１の作業板４Ａまたは第２の作業板４Ｂを開き位置に回動させる。
【００３１】
また、測定員Ｓは、スライド機構４１Ａ、４１Ｂにより第１の作業板４Ａおよび第２の作業板４Ｂをスライド操作し、第１の作業板４Ａおよび第２の作業板４Ｂと天板２３Ａ、２３Ｂとの間の隙間が無くなるように調節する。なお、一般的なＯＴＤＲは、設置面積Ａ４〜Ａ３サイズで、高さが２０ｃｍ、重量が１０ｋｇ程度である。本実施形態では、第１の作業板４Ａを開くことによって載置可能なサイズのＯＴＤＲを例に説明している。
【００３２】
測定員Ｓは、第１の作業板４Ａおよび天板２３Ａの上にＯＴＤＲ６を載置し、脚立部３の１段目または２段目の踏み板２１Ｂに登り、上部の光配電盤７１を引き出す。次いで、測定員Ｓは、光配電盤７１から光ファイバを引き抜き、引き抜いた光ファイバをＯＴＤＲ６の測定コードあるいはＯＴＤＲ６本体の測定コネクタに接続し、ＯＴＤＲ６を操作して測定を行なう。
【００３３】
本実施形態の作業台１によれば、天板２３Ａ、２３Ｂ上に載置するＯＴＤＲ６のサイズに応じて、一対の脚部２１Ａ、２１Ｂの間に収納された第１の作業板４Ａまたは第２の作業板４Ｂを天板２３Ａ、２３Ｂと同一面上に配される開き位置に移動させることができるので、サイズが比較的大きなＯＴＤＲ６であっても載置することができる。したがって、従来の測定作業のように、何度も脚立を昇降しなくても多数の光ファイバの測定作業を行なうことができるので、高所での測定作業の効率が向上し、測定員の身体的な負担も低減する。また、脚立部３は、従来の一般的な脚立と同程度のサイズなので、狭いスペースであっても高所の測定作業を行なうことができる。さらに、第１の作業板４Ａまたは第２の作業板４Ｂは、不使用時には一対の脚部２１Ａ、２１Ｂの間に収納することができるので、通常の脚立として利用することもできる。
【００３４】
また、第１の作業板４Ａまたは第２の作業板４Ｂは、第１の脚体２Ａおよび第２の脚体２Ｂの脚部２１Ａ、２１Ｂそれぞれに設けられているので、ＯＴＤＲ６の載置スペースをより広く設けることができる。また、脚体の一方にサイズの大きな作業板を設ける場合よりも、第１の作業板４Ａまたは第２の作業板４Ｂの２つに分けて設けることにより、脚立部３からの作業板の突出量が小さくなるので、作業台１の取り扱いがしやすくなる。さらに、第１の作業板４Ａまたは第２の作業板４Ｂは、それぞれ個別に開閉することができるので、使い勝手の高い作業台１を得ることができる。
【００３５】
さらに、第１の作業板４Ａまたは第２の作業板４Ｂは、スライド機構４１Ａ、４１Ｂによって、天板２３Ａ、２３Ｂとの間の隙間が無くなるようにスライド可能であるため、天板２３Ａ、２３Ｂと第１の作業板４Ａまたは第２の作業板４Ｂとの間にＯＴＤＲ６の脚が落ち込んだり、ＯＴＤＲ６構成部品が落下するのを防止することができる。また、ＯＴＤＲ６の脚や構成部品が落下するおそれのないＯＴＤＲ６であれば、天板２３Ａ、２３Ｂと第１の作業板４Ａまたは第２の作業板４Ｂとの間に隙間を設けた状態で使用することもできるので、隙間が生じないように第１の作業板４Ａまたは第２の作業板４Ｂをスライドさせた場合よりも広い載置スペースを得ることができる。
【００３６】
また、第１の作業板４Ａまたは第２の作業板４Ｂが開き位置に移動された場合に、第１の作業板４Ａまたは第２の作業板４Ｂを支持する支持ステー４１４Ａ、４１４Ｂを備えるので、重量の重いＯＴＤＲ６であっても安定して載置することができる。
【００３７】
さらに、第２の作業４Ｂには電源タップ５が設けられているので、第１の作業板４Ａおよび第２の作業板４Ｂに載置したＯＴＤＲ６の電源を近い位置からとることができる。したがって、近くにコンセントがなく、延長コードが無い場合であっても、第１の作業板４Ａおよび第２の作業板４Ｂ上のＯＴＤＲ６に電源を供給することができる。
【００３８】
（実施の形態２）
次に、本発明の第２の実施の形態について説明する。なお、第１の実施の形態と同一の構成については、同じ符号を用いて詳しい説明は省略する。図５に示す作業台１０は、第１の作業板４Ａと第２の作業板４Ｂとにそれぞれ一端が係止された固定ベルト１１Ａ、１１Ｂを備えている。固定ベルト１１Ａ、１１Ｂの先端には、プラスチック製の係止具１１１Ａ、１１１Ｂが設けられている。固定ベルト１１Ａ、１１Ｂは、第１の作業板４Ａおよび第２の作業板４Ｂに載置したＯＴＤＲ６の上に延ばされて、係止具１１１Ａ、１１１Ｂ同士が係止される。これにより、ＯＴＤＲ６を作業台１に固定することができるので、測定員Ｓが作業台１を昇降する際の振動などによってＯＴＤＲ６が落下するのを防止することができる。なお、プラスチック製の係止具に代えて、面ファスナーやマグネットで固定ベルトを係止してもよい。
【００３９】
以上、この発明の実施の形態を詳述してきたが、具体的な構成はこの実施の形態に限られるものではなく、この発明の要旨を逸脱しない範囲の設計の変更等があっても、この発明に含まれる。例えば、ＯＴＤＲを用いて光ファイバを測定する例について説明したが、無線機の出力測定や、光端局装置の測定など、様々な高所での測定作業に利用することができる。
【符号の説明】
【００４０】
１、１０            作業台
２Ａ                第１の脚体
２Ｂ                第２の脚体
３                  脚立部
４Ａ                第１の作業板
４Ｂ                第２の作業板
５                  電源タップ
６                  光パルス試験器（ＯＴＤＲ）
７                  配電盤ラック
１１Ａ、１１Ｂ      固定ベルト
２１Ａ、２１Ｂ      一対の脚部
２２Ａ、２２Ｂ      踏み板
２３Ａ、２３Ｂ      天板
４１Ａ、４１Ｂ      スライド機構
７１                光配電盤
４１４Ａ、４１４Ｂ  支持ステー
【図１】
0006763145.tif 000002
【図２】
0006763145.tif 000003
【図３】
0006763145.tif 000004
【図４】
0006763145.tif 000005
【図５】
0006763145.tif 000006